(57)【要約】【課題】ケーブルの端末の余長部を正規に収容でき、また防水機能を確実に発揮することができるコネクタを提供する。【解決手段】端子金具１５を収容する端子収容部２２が設けられたインナハウジング２１と、合体可能な一対の分割体３１Ａ，３１Ｂを備えて合体時には露出した各被覆電線１１を収容可能な収容空間４３が内部に構成される電線収容ケース３０と、両分割体３１Ａ，３１Ｂの内面に対向して設けられ合体時にはシース１２の端末を挟持可能な挟持部３７Ａ，３７Ｂと、インナハウジング２１が収容されかつ相手側コネクタが嵌合可能なコネクタ部５２と電線収容ケース３０の収容室５８とが設けられたアウタハウジング５０と、アウタハウジング５０における収容室５８の後端部に緊密に嵌合されるゴム栓６０と、アウタハウジング５０の後端部に装着されるゴム栓押さえ６５と、が具備されている。【選択図】図２
2013134944.tif 000002
【特許請求の範囲】
【請求項１】
複数本の被覆電線の回りをシースで覆った構造であり、かつ前記シースが皮剥ぎされることで露出された各被覆電線の端末に端子金具が接続されたケーブルと、
前記端子金具を収容する端子収容部が設けられたインナハウジングと、
このインナハウジングの後方に設けられ、合体可能な一対の分割体を備えて合体時には露出した前記各被覆電線を収容可能な収容空間が内部に構成される電線収容ケースと、
前記両分割体の内面に対向して設けられ両分割体の合体時には前記シースの端末を挟持可能な挟持部と、
前記インナハウジングが収容されかつ相手側コネクタが嵌合可能なコネクタ部と、前記電線収容ケースが収容される収容室とが設けられたアウタハウジングと、
前記シースの端末に嵌装されかつ前記アウタハウジングにおける前記収容室の後端部に緊密に嵌合されるゴム栓と、
前記アウタハウジングの後端部に装着されるゴム栓押さえと、
が具備されていることを特徴とするコネクタ。
【請求項２】
前記電線収容ケースは、前記一対の分割体がヒンジを介して開閉可能に接続された構造となっていることを特徴とする請求項１記載のコネクタ。
【発明の詳細な説明】
【技術分野】
【０００１】
本発明は、複数本の被覆電線の回りをシースで覆ったケーブルの端末に設けられる防水タイプのコネクタに関する。
【背景技術】
【０００２】
この種のケーブルの一例であるシールドケーブルの端末に防水タイプのコネクタを設けた構造として、下記特許文献１に記載されたものが知られている。このものはまず、シールドケーブルのシースの端末を皮剥ぎして被覆電線を露出させ、露出された各被覆電線の端末に端子金具を圧着する端末処理が施されるが、圧着機による圧着作業をしやすくするために被覆電線の露出長さを相応に採らねばならないという事情があり、この露出した被覆電線が余長部となる。  
一方、コネクタハウジングは、各端子金具を収容するインナハウジングと、同インナハウジングが収容されかつ相手側コネクタが嵌合されるコネクタ部の後方に上記の余長部が収容される収容室が設けられたアウタハウジングとの２ピースから構成されている。
【０００３】
そして、防水コネクタを組み付ける場合は、インナハウジングに各端子金具を収容したのち、同インナハウジングをアウタハウジング内に挿入してコネクタ部に装着する一方、端子金具の後方に引き出された形態の余長部を畳むようにして収容室に押し込む。そののちシールドケーブルに先通ししておいたゴム栓を収容室の後端部に緊密に嵌合するとともに、ゴム栓押さえを装着してゴム栓の抜け止めを図るようになっている。
【０００４】
また、引用文献１のシールドケーブルは、シースの内側に編組線からなるシールド層が配設された構造であって、シールド層の端末をシースの端末に折り返して同折り返し部に金属製のかしめリングを嵌着し、かしめリングをインナハウジングに装着されたシールドシェルと接続することでシールドコネクタとして機能させ、併せてかしめリングが、シールドケーブルの抜け止めの機能を果たすようになっている。
【先行技術文献】
【特許文献】
【０００５】
【特許文献１】特許第２９１０６３１号公報
【発明の概要】
【発明が解決しようとする課題】
【０００６】
上記従来のものでは、余長部をアウタハウジングに収容する当たっては、単に畳んで収容室に押し込むだけであって、しかも押し込まれた状態を目視することはできない。そのため余長部が畳まれた形態によっては、端子金具にインナハウジング内でこじる等の力を作用させるおそれがあっても、未然に防止することはできない。また、畳まれた余長部が収容室の後端まで不必要に張り出すことで、ゴム栓の嵌合がスムーズにできない場合があり得るが、これもゴム栓を実際に嵌合してみないと判らないという問題がある。
【０００７】
また上記従来例では、シールドケーブルの抜け止めが、シースの端末に嵌着された金属製のかしめリングを、ゴム栓の中心孔の前面口縁部に当てることで行うことになるが、シールドケーブルに強い引っ張り力が作用した場合等にかしめリングがゴム栓に食い込む等で傷付け、防水機能が損なわれるおそれもあった。  
本発明は上記のような事情に基づいて完成されたものであって、その目的は、ケーブルの端末の余長部を正規に収容でき、また防水機能を確実に発揮することができるコネクタを提供するところにある。
【課題を解決するための手段】
【０００８】
本発明は、複数本の被覆電線の回りをシースで覆った構造であり、かつ前記シースが皮剥ぎされることで露出された各被覆電線の端末に端子金具が接続されたケーブルと、前記端子金具を収容する端子収容部が設けられたインナハウジングと、このインナハウジングの後方に設けられ、合体可能な一対の分割体を備えて合体時には露出した前記各被覆電線を収容可能な収容空間が内部に構成される電線収容ケースと、前記両分割体の内面に対向して設けられ両分割体の合体時には前記シースの端末を挟持可能な挟持部と、前記インナハウジングが収容されかつ相手側コネクタが嵌合可能なコネクタ部と、前記電線収容ケースが収容される収容室とが設けられたアウタハウジングと、前記シースの端末に嵌装されかつ前記アウタハウジングにおける前記収容室の後端部に緊密に嵌合されるゴム栓と、
前記アウタハウジングの後端部に装着されるゴム栓押さえと、が具備されているところに特徴を有する。
【０００９】
コネクタは、以下のようにして組み付けられる。各被覆電線の端末に接続された端子金具がインナハウジングの端子収容部に収容され、次に端子金具の後方に引き出された余長部である被覆電線の露出部分が、電線収容ケースの一方の分割体内で纏められるとともに、シースの端末が同分割体の挟持部に当てられ、続いて他方の分割体が合体されることで、纏められた被覆電線の露出部分が収容空間に収容されるとともに、シースの端末が両挟持部で挟持されて固定される。そののち、インナハウジングがアウタハウジングのコネクタ部に収容されることと併せて、電線収容ケースが収容室に収容され、続いてシースの端末に嵌装されたゴム栓が収容室の後端部に緊密に嵌合されてゴム栓押さえで抜け止めされ、これによりケーブルの端末とアウタハウジングとの間がシールされた防水タイプのコネクタが組み付けられる。
【００１０】
インナハウジングの後方に分割可能な電線収容ケースを備え、同電線収容ケースにケーブルの端末の余長部を収容して同ケースをアウタハウジングの収容室に収容する構造としたから、目視により確認した上で余長部を電線収容ケースひいては収容室に正規に収容することができる。また、シースの端末を電線収容ケース内の挟持部で挟んで固定することによりケーブルの抜け止めを行うようにしたから、ケーブルに強い引っ張り力が作用した場合にも、ゴム栓にはケースの後面がべた当たりするだけであってゴム栓を傷付けるおそれがなく、ひいては長期に亘って防水機能を発揮することができる。
【００１１】
また、以下のような構成としてもよい。  
前記電線収容ケースは、前記一対の分割体がヒンジを介して開閉可能に接続された構造となっている。  
電線収容ケースを開いておいて一方の分割体の上に余長部を纏めて載せ、そののち電線収容ケースを閉じることで内部の収容空間に余長部が収容される。一対の分割体が別体である場合と比較すると、合体動作が簡単でひいては余長部の収容作業が能率良くでき、また部品点数も低減できる。
【発明の効果】
【００１２】
本発明のコネクタによれば、ケーブルの端末の余長部を正規に収容でき、かつ防水機能を確実に発揮することができる。
【図面の簡単な説明】
【００１３】
【図１】本発明の一実施形態に係る雌側の防水コネクタの分解斜視図
【図２】組み付けが完了した状態の雌側の防水コネクタの縦断面図
【図３】インナハウジングの底面図
【図４】同背面図
【図５】電線収容ケースの開放状態の斜視図
【図６】同正面図
【発明を実施するための形態】
【００１４】
＜実施形態＞
本発明の一実施形態を図１ないし図６によって説明する。この実施形態では、シールドケーブル１０の端末に設けられる雌側の防水コネクタを例示する。  
この実施形態のシールドケーブル１０（以下、ケーブル１０）は、４本の被覆電線１１（３本の動力線と１本のドレイン線）とが撚り合わされ、それらの回りがシース１２で覆われた構造となっている。
【００１５】
上記のケーブル１０における防水コネクタと接続される側の端末では、図２に参照して示すように、シース１２が所定長さ（例えば８０mm）皮剥ぎされ、各被覆電線１１の端末が露出状態とされる。露出された各被覆電線１１の端末には、雌端子１５が接続されている。雌端子１５は、内部に弾性接触片を設けた角筒形をなす接続部１６の後方にバレル１７が設けられた構造であって、図示しない圧着機を用いて雌端子１５のバレル１７をかしめることで、各被覆電線１１の端末に雌端子１５が圧着されている。  
この雌端子１５の圧着作業をしやすくするために、被覆電線１１の露出長さを比較的長く採っており、この露出部分が余長部１１Ａとなる。
【００１６】
上記のように端末処理が施されたケーブル１０の端末に雌ハウジング２０が装着されることにより、雌側の防水コネクタが形成されるようになっており、続いて雌ハウジング２０の構造について説明する。  
雌ハウジング２０は、図１に示すように、共に合成樹脂材からなるインナハウジング２１とアウタハウジング５０とを有しており、インナハウジング２１の後方には同じく合成樹脂材からなる電線収容ケース３０が取り付けられている。
【００１７】
インナハウジング２１は、図３及び図４にも示すように、平面方形をなす厚板状をなし、このインナハウジング２１には、前後方向を向いた下面開口の溝状をなす４つの端子収容部２２が、一定間隔を開けて幅方向に並んで形成されている。各端子収容部２２には、雌端子１５が下面側から挿入できるようになっており、図２に示すように、雌端子１５並びに同雌端子１５から引き出された形態の被覆電線１１の端末側の一部が収容されるようになっている。各端子収容部２２の後部側の開口には蓋板２３が後付けにより被せられ、雌端子１５の外れ止めがなされている。各端子収容部２２の前面壁には、相手の雄端子が挿入される端子挿入口２４が形成されている。
【００１８】
インナハウジング２１の後面には、電線収容ケース３０が取り付けられている。そのためインナハウジング２１の後面には、同インナハウジング２１よりも一回り大きい断面の接続筒２６が連ねて形成されている。ただし、同接続筒２６は、下面における中央幅の大部分の領域に、雌端子１５並びに被覆電線１１の下面側からの挿入を許容するべく切除部２７が形成されている。この接続筒２６の左右の側面には、係止溝２８が前縁から奥に切り込み形成されている。
【００１９】
電線収容ケース３０は、図５及び図６に示すように、上下一対の分割体３１Ａ，３１Ｂが開閉可能に連結されて形成され、閉鎖時（合体時）の形状は、扁平な箱形をなすケース本体３３の前面に、インナハウジング２１の後面の接続筒２６内に嵌合可能な被接続筒３４が連設されるとともに、後面の中心に、ケーブル１０が挿通されるケーブル挿通孔３５が開口されている。被接続筒３４の左右の側面には、接続筒２６の係止溝２８に係止する係止突起３６が形成されている。
【００２０】
一対の分割体３１Ａ，３１Ｂは、上記した閉鎖時の形状を上下に二分割したような形状をなし、対向した一方の側縁同士がヒンジ３２によって接続され、同ヒンジ３２を中心として一対の分割体３１Ａ，３１Ｂが開閉可能となっている。  
両分割体３１Ａ，３１Ｂにおけるケーブル挿通孔３５の内側の位置には、それぞれシース１２の端末を挟持するべく挟持部３７Ａ，３７Ｂが形成されている。各挟持部３７Ａ，３７Ｂはそれぞれブロック状をなし、対向面には半円形断面の挟持溝３８が形成されている。各挟持溝３８には、複数本ずつの突条３９が前後方向に間隔を開けて形成されている。
【００２１】
一方（下側）の分割体３１Ａの挟持部３７Ａには、左右の一対の係止片４０が突出形成されているとともに、他方（上側）の分割体３１Ｂの挟持部３７Ｂには、両分割体３１Ａ，３１Ｂの閉鎖時に係止片４０を受け入れて係止し、両分割体３１Ａ，３１Ｂを閉鎖状態にロックする係止孔４１が対応して開口されている。  
そして、両分割体３１Ａ，３１Ｂの閉鎖時には、その内部における挟持部３７Ａ，３７Ｂの形成位置を除いた領域に、余長部１１Ａの収容空間４３が形成されるようになっている。
【００２２】
アウタハウジング５０は、やや扁平な後面開口の筒状をなす本体部５１を備えており、この本体部５１の前端部には、上記したインナハウジング２１が挿入可能な前面開口のタワー部５３が突出形成され、同タワー部５３の回りにフード部５４が形成されることによって、図示しない相手の雄ハウジングが嵌合されるコネクタ部５２が形成されている。  
タワー部５３の付け根側の外周には、相手の雄ハウジングとの間をシールすることに機能するゴムリング５６が嵌着されているとともに、フード部５４の上面には、相手の雄ハウジングとの間を嵌合状態にロックするロックアーム５７が設けられている。
【００２３】
アウタハウジング５０の本体部５１内は、図２に示すように、上記した電線収容ケース３０をほぼ緊密に収容する収容室５８となっている。  
ケーブル１０（シース１２）の端末にはゴム栓６０が装着され、同ゴム栓６０は収容室５８の後端部に緊密に嵌合される横長のブロック状をなし、ケーブル１０を緊密に挿通する中心孔６１が形成されているとともに、内外周にリップ６２が形成されている。
【００２４】
アウタハウジング５０の本体部５１の後端には、ゴム栓押さえを兼ねたバックホルダ６５が装着されるようになっている。バックホルダ６５は同じく合成樹脂製であって、本体部５１の後端に外嵌されるキャップ形に形成されている。バックホルダ６５の後面板には、ケーブル１０の挿通口６６が開口されているとともに、左右の側面には、本体部５１の後端部における左右の側面に形成された係止突起５９に弾性的に係止して抜け止めする弾性係止片６７が設けられている。
【００２５】
本実施形態は上記のような構造であつて、続いて防水コネクタの組み付け手順の一例を説明する。  
ケーブル１０の端末にバックホルダ６５とゴム栓６０とが先通しされ、その状態から、既述した要領によってケーブル１０の端末処理が施される。簡単に繰り返すと、シース１２が所定長さ皮剥ぎされて合計４本の被覆電線１１が露出状態とされ、各被覆電線１１の端末に雌端子１５が圧着されて接続される。
【００２６】
次に、各雌端子１５並びにその後方に引き出された被覆電線１１の露出部分の一部が、インナハウジング２１の各端子収容部２２に下面側から挿入され、蓋板２３を被着することで保持される。次に、各雌端子１５の後方に引き出された被覆電線１１の露出部分すなわち余長部１１Ａが纏められ、図５に示すように開かれた電線収容ケース３０の下側の分割体３１Ａ内に屈曲されつつ収められるとともに、シース１２の端末が同下側の分割体３１Ａの挟持部３７Ａに嵌められる。続いて上側の分割体３１Ｂがヒンジ３２を中心に回動されて閉じられ、係止片４０が係止孔４１に嵌って係止することで閉じられた電線収容ケース３０が形成される。
【００２７】
このとき電線収容ケース３０内には、図２に示すように収容空間４３が形成されて、同収容空間４３内に被覆電線１１の露出部分である余長部１１Ａが収容されるとともに、シース１２の端末が上下の挟持部３７Ａ，３７Ｂで挟持されて固定される。  
このように余長部１１Ａを収容した電線収容ケース３０の被接続筒３４が、インナハウジング２１の接続筒２６内に嵌合され、係止突起３６が係止溝２８に嵌ることで抜け止めされ、すなわちインナハウジング２１の後面に電線収容ケース３０が結合される。
【００２８】
アウタハウジング５０側では、タワー部５３の付け根側の外周にゴムリング５６が嵌着される。係る状態から、上記のように電線収容ケース３０を後面に一体的に結合したインナハウジング２１が、アウタハウジング５０内に収容室５８の後面開口側から挿入される。インナハウジング２１が、コネクタ部５２を構成するタワー部５３内に所定位置まで挿入されて停止されたら、電線収容ケース３０が収容室５８にその後端側を所定域余して収容された状態となる。
【００２９】
そののち、ゴム栓６０がケーブル１０に沿ってシース１２の端末まで移動され、アウタハウジング５０の収容室５８の後端部内において電線収容ケース３０の後面に当たるまで押し込まれて緊密に嵌合される。続いてバックホルダ６５が同じくケーブル１０に沿って移動されつつアウタハウジング５０の後端部に外嵌され、左右の弾性係止片６７が係止突起５９に弾性的に係止することで固定される。これにより、ゴム栓６０さらには電線収容ケース３０を含むインナハウジング２１が抜け不能な状態でアウタハウジング５０内に収容される。  
以上により、雌側の防水コネクタの組み付けが完了する。
【００３０】
本実施形態の防水コネクタによれば、インナハウジング２１の後方に開閉可能な電線収容ケース３０を備え、同電線収容ケース３０にケーブル１０の端末の余長部１１Ａを収容して、同電線収容ケース３０をアウタハウジング５０の収容室５８に収容する構造としたから、目視により確認した上で余長部１１Ａを電線収容ケース３０ひいてはアウタハウジング５０に設けられた収容室５８に正規に収容することができる。そのため、余長部１１Ａが変に変形することに起因して、雌端子１５に対して端子収容部２２内でこじる等の無理な力を作用させることを未然に防止できる。また、余長部１１Ａが収容室５８の後端まで不必要に張り出すことに起因して、ゴム栓６０のスムーズな嵌合を阻害することも回避でき、すなわち組み付け作業の高効率化に寄与し得る。
【００３１】
シース１２の端末を電線収容ケース３０内の両挟持部３７Ａ，３７Ｂで挟んで固定することによりケーブル１０の抜け止めを行うようにしたから、ケーブル１０に強い引っ張り力が作用した場合にも、ゴム栓６０には電線収容ケース３０の後面がべた当たりするだけであってゴム栓６０を傷付けるおそれがなく、ひいては長期に亘って防水機能を発揮することができる。
【００３２】
電線収容ケース３０は、一対の分割体３１Ａ，３１Ｂをヒンジ３２を介して開閉可能に接続した構造としたから、ケーブル１０の余長部１１Ａを電線収容ケース３０内に収容するに当たっては、電線収容ケース３０を開いておいて一方の分割体３１Ａの上に余長部１１Ａを纏めて載せ、そののち電線収容ケース３０を閉じることで内部の収容空間４３に余長部１１Ａを収容することができる。一対の分割体が別体に形成されている場合と比較すると、両分割体３１Ａ，３１Ｂの閉鎖（合体）動作が簡単でひいては余長部１１Ａの収容作業が能率良くでき、また部品点数も低減できて製造コストの削減に寄与できる。
【００３３】
＜他の実施形態＞
本発明は上記記述及び図面によって説明した実施形態に限定されるものではなく、例えば次のような実施形態も本発明の技術的範囲に含まれる。  
（１）上記実施形態では、電線収容ケースは、半割された一対の分割体から構成されている場合を例示したが、本体部と蓋板等、比率を変えて分割したものであってもよい。  
（２）電線収容ケースは分割可能な２体物で形成されていてもよい。  
（３）電線収容ケースは、一方の分割体がインナハウジングの後面側に一体的に形成された構造であってもよい。
【００３４】
（４）上記実施形態では、雌側の防水コネクタを例示したが、雄側の防水コネクタについても、本発明は同様に適用することができる。  
（５）またケーブルとしては、上記実施形態に例示したシールドケーブルに限らず、被覆電線の本数が異なるもの、あるいはドレイン線を用いないシールドケーブル等、要は複数本の被覆電線の回りをシースで覆ったケーブルの端末に設けられるコネクタハウジング全般に広く適用することが可能である。
【符号の説明】
【００３５】
１０…シールドケーブル（ケーブル）
１１…被覆電線
１１Ａ…余長部（露出した被覆電線１１）
１２…シース
１５…雌端子（端子金具）
２０…雌ハウジング（コネクタハウジング）
２１…インナハウジング
２２…端子収容部
２６…接続筒
３０…電線収容ケース
３１Ａ，３１Ｂ…分割体
３２…ヒンジ
３４…被接続筒
３７Ａ，３７Ｂ…挟持部
３８…挟持溝
４０…係止片
４１…係止孔
４３…収容空間
５０…アウタハウジング
５２…コネクタ部
５３…タワー部
５８…収容室
６０…ゴム栓
６５…バックホルダ（ゴム栓押さえ）
【図１】
2013134944.tif 000003
【図２】
2013134944.tif 000004
【図３】
2013134944.tif 000005
【図４】
2013134944.tif 000006
【図５】
2013134944.tif 000007
【図６】
2013134944.tif 000008